(57)【特許請求の範囲】
【請求項１】
外枠の一側縁上下部に設けられた固定金具に前面枠体を支持する支持手段を設け、前記前面枠体の一側縁上下部に設けられた可動金具に前記外枠に係止する係止手段を設け、
前記上部の係止手段は、前記上部可動金具に下向きに突設したヒンジ軸であって、該ヒンジ軸は、その基端側を円形軸部とすると共に、その先端側を円形軸部よりも細幅の扁平軸部とし、
前記上部の支持手段は、前記上部固定金具の上端面から前方に突出する突出片であって、該突出片には、その先端側を切り欠いて形成し前記扁平軸部が挿入できる幅の切欠溝と該切欠き溝に連通し前記円形軸部が嵌合される軸受孔とを設け、
前記ヒンジ軸の円形軸部と扁平軸部との境界に形成される該円形軸部の下面を後方上から手前下に向かう下向き傾斜面とし、
さらに、前記ヒンジ軸の扁平軸部には突起状の規制突部を設け、該規制突部は、前記下部固定金具の係止手段と前記下部可動金具の支持手段とが係止された状態で、且つ前記上部可動金具のヒンジ軸の円形軸部が前記上部固定金具の軸受孔から外されたとき前記突出片の下面に衝合する位置に設けられていることを特徴とするパチンコ遊技機における前面枠体の軸支構造。
【請求項２】
外枠の一側縁上下部に設けられた固定金具に前面枠体を支持する支持手段を設け、前記前面枠体の一側縁上下部に設けられた可動金具に前記外枠に係止する係止手段を設け、
前記上部の係止手段は、前記上部可動金具に下向きに突設したヒンジ軸であって、該ヒンジ軸は、その基端側を円形軸部とすると共に、その先端側を円形軸部よりも細幅の扁平軸部とし、
前記上部の支持手段は、前記上部固定金具の上端面から前方に突出する突出片であって、該突出片には、その先端側を切り欠いて形成し前記扁平軸部が挿入できる幅の切欠溝と該切欠き溝に連通し前記円形軸部が嵌合される軸受孔とを設け、
前記ヒンジ軸の円形軸部と扁平軸部との境界に形成される該円形軸部の下面を後方上から手前下に向かう下向き傾斜面とすると共に、前記突出片の切欠き溝の両側に位置する上面を手前下から後方上へ向かう上向き傾斜面とし、
さらに、前記ヒンジ軸の扁平軸部には突起状の規制突部を設け、該規制突部は、前記下部固定金具の係止手段と前記下部可動金具の支持手段とが係止された状態で、且つ前記上部可動金具のヒンジ軸の円形軸部が前記上部固定金具の軸受孔から外されたとき前記突出片の下面に衝合する位置に設けられていることを特徴とするパチンコ遊技機における前面枠体の軸支構造。
【発明の詳細な説明】
【０００１】
【発明の属する技術分野】
本発明は、パチンコ遊技機に関し、特に外枠に対して前面枠体を容易に軸支し得るようにしたパチンコ遊技機における前面枠体の軸支構造に関するものである。
【０００２】
【従来の技術】
従来、パチンコ遊技機においては、各種遊技機器の点検や修理のため外枠に対して前面枠体が開閉可能に軸支されている。また必要に応じて外枠から前面枠を取り外せるように係脱自在に軸支されている。
【０００３】
ところで、従来の前面枠体の軸支構造は、外枠の下部固定金具に下ヒンジ軸を上向きに突設すると共に、上部固定金具に軸孔を設け、一方、前面枠体の下部可動金具に軸孔を設けると共に、上部可動金具に上ヒンジ軸を下向きに突設し、前面枠体を上方へ持ち上げながら上下のヒンジ軸をそれぞれの軸孔に同時的に嵌め合わせることにより、前面枠体を開閉可能に軸支するように構成されている。しかし、このような軸支構造では、前面枠体の重量を支えながら上下のヒンジ軸と軸孔とを一致させなければならず、その作業を一人で行うには非常に困難であるばかりか危険を伴うものであった。
【０００４】
このため、最近では外枠に対して前面枠体を容易に組付けることができるようにこれまで種々の軸支構造が提案されている。その一例として例えば特開平９−４７５５５号公報に開示されるように前面枠体の上部可動金具の上面に上ヒンジ軸を上向きに突設し、外枠の上部固定金具の下面に左右方向に軸係入口を有する軸受部材を固定的に設け、前面枠体を水平移動させながら上ヒンジ軸を軸係入口から軸受部材の軸承部に嵌入させるようにすると共に、ばね付勢されたロック部材で軸係入口を閉ざすことにより、前面枠体を開閉可能に軸支するように構成されたものが知られている。
【０００５】
【発明が解決しようとする課題】
上記した前面枠体の軸支構造は、前面枠体の重量を支えた状態で上下のヒンジ軸を軸孔に同時的に嵌め合わせる必要のある一般的な軸支構造と比較した場合、前面枠体の重量を支えた状態での組付け作業が回避できて体力面或いは安全面で有利性があるものの、軸受部材やロック部材を必要として構成部品が多くなり製作コストが高くつくという問題点があった。
【０００６】
本発明は上記のような問題点に鑑みてなされたもので、その目的とするところは、一般的な軸支構造の有する問題点を解決すると共に、外枠に対する前面枠体の取り付け取り外しが容易かつ安全にでき、しかも構造が簡単で製作コストを安くできるようなパチンコ遊技機における前面枠体の軸支構造を提供しようとするものである。
【０００７】
【課題を解決するための手段】
上記した目的を達成するために、請求項１記載の発明は、外枠の一側縁上部に設けられた上部固定金具に、外側に向かって開口する切欠き溝と該切欠き溝に連通する軸受孔を設けると共に、前面枠体の一側縁上部に設けられた上部可動金具に上ヒンジ軸を下向きに突設し、前記上ヒンジ軸には、上部固定金具の軸受孔に嵌合する円形軸部と切欠き溝に挿入できる幅に形成した扁平軸部を設けると共に、前記上部固定金具であり、その切欠き溝の両側に位置する上面を手前下から後方上へ向かう上向き傾斜面として形成したことを特徴としている。
【０００８】
また、請求項２記載の発明は、外枠の一側縁上部に設けられた上部固定金具に、外側に向かって開口する切欠き溝と該切欠き溝に連通する軸受孔を設けると共に、前面枠体の一側縁上部に設けられた上部可動金具に上ヒンジ軸を下向きに突設し、前記上ヒンジ軸には、上部固定金具の軸受孔に嵌合する円形軸部と切欠き溝に挿入できる幅に形成した扁平軸部を設けると共に、その円形軸部と扁平軸部との境界面を後方上から手前下へ向かう下向き傾斜面として形成し、さらに前記上部固定金具であり、その切欠き溝の両側に位置する上面を手前下から後方上へ向かう上向き傾斜面として形成したことを特徴としている。
【０００９】
また、請求項３記載の発明は、請求項１又は２記載の発明であって前記上ヒンジ軸の扁平軸部に前面枠体の上動範囲を規制する規制突部を設けてなることを特徴としている。
【００１０】
そして、請求項１及び２記載の発明によれば、下部可動金具の軸孔と下部固定金具の下ヒンジ軸とを嵌め合わせた状態で上部可動金具の上ヒンジ軸の扁平軸部を上部固定金具の切欠き溝に臨ませて前面枠体を外枠に押し付け、上ヒンジ軸の円形軸部を上部固定金具の軸受孔に嵌め合わせるだけの簡単な作業で前面枠体を外枠に開閉自在に軸支することができるもので、外枠に対する前面枠体の取り付け取り外しが容易かつ安全にでき、しかも構造が簡単で製作コストを安くすることが可能となる。また、上ヒンジ軸の円形軸部を上部固定金具の軸受孔に容易に嵌め合わせることができると共に、ロック部材等の別部品を必要としないで上ヒンジ軸が軸受孔から外れるのを確実に阻止することが可能となる。
【００１１】
また請求項３記載の発明によれば、前面枠体を上方へ持ち上げて上ヒンジ軸の円形軸部を上部固定金具の軸受孔から取り外す際に下部固定金具の下ヒンジ軸と下部可動金具の軸孔とが外れることがないようにすることができ、前面枠体を外枠から容易かつ安全に取り外すことができる。
【００１２】
【発明の実施の形態】
次に、図面を参照して本発明の一実施の形態を説明する。図１は本発明が適用されるパチンコ遊技機の正面図、図２はガラス板保持枠と打球供給皿を有する前面板及び余剰球受皿を有する前面下部板を開いた状態のパチンコ遊技機の斜視図、図３は外枠と前面枠体を分離した状態の斜視図である。パチンコ遊技機１は、縦長な方形状に枠組み形成される外枠２と、該外枠２の一側にヒンジ機構３によって開閉自在に装着される前面枠体４とを備え、該前面枠体４の前面一側にガラス板保持枠５と、打球供給皿６を有する前面板７及び余剰球受皿８を有する前面下部板９とを開閉自在に軸支して構成されている。
【００１３】
前記前面枠体４は、図３に示すように鉄板等の金属板によって形成されるもので、上部にほぼ正方形状の開口部１０が形成され、その下部が板状部１１ａとして形成された主枠部１１と、該主枠部１１の裏面側であり、開口部１０の上側位置を除く左右両側位置及び下側位置にそれぞれカシメ着されて該主枠部１１と一体化される遊技盤取付枠１２とを有し、その遊技盤取付枠１２であり、かつ主枠部１１の開口部１０を覆うように遊技盤１３が着脱可能に取り付けられるようになっている。この遊技盤１３の前面には円形状の誘導レール１３ａが複数のレール取付ピンで取り付けられており、該誘導レール１３ａで囲まれる領域が遊技領域として構成されている。
【００１４】
ところで、前記前面枠体４には図２に示すようにパチンコ遊技機１の主要な遊技構成部品のほぼすべてが集約して設けられている。すなわち、前面枠体４の主枠部１１前面には、遊技盤１３の遊技領域外を覆うように合成樹脂により形成されたレール飾り部材１４と、同じように合成樹脂により形成されたレール変形防止部材１５が設けられ、遊技盤１３の遊技領域外には証紙貼付部材１６が設けられる。また、開口部１０の下方の板状部１１ａに貫通形成された円形状取付孔１７には打球発射機構１８が設けられ、ほぼ四角状取付孔１９には通路構成体２０が取り外し自在に装着されるようになっている。
【００１５】
前記打球発射機構１８は、発射レール２１と、該発射レール２１の発射位置に臨む打球杆２２と、該打球杆２２の駆動源としてのロータリーソレノイド２３と、打球杆２２の発射動作に連動して打球供給皿６に貯留される打球を１個ずつ発射レール２１の発射位置に供給する自動球送り装置２４とをそれぞれ板状の保持体２５に一体に組付けてユニット化されている。そして、円形状取付孔１７にロータリーソレノイド２３を前面側から臨ませると共に、保持体２５の裏面側に突設された複数の嵌合突起（図示せず）を板状部１１ａに穿設された係合孔２６に係合させることによって、打球発射機構１８が前面枠体４の主枠部１１にビス止めすることなくワンタッチで強固に取り付けられるようになっている。
【００１６】
また、前記通路構成体２０は、その上部位置にファール球を受けるファール球受皿部２７と、前面板７の開放時に零れ落ちる賞球を受ける賞球受皿部２８が隔壁２９によりそれぞれ分離して設けられており、ファール球受皿部２７と連通状にファール球誘導通路３１が、また賞球受皿部２８と連通状に零れ球誘導通路３０がそれぞれ互いに独立して設けられている。そして、ほぼ四角状取付孔１９に通路構成体２０の後部分を前面側から臨ませると共に、複数の後向き係止爪（図示せず）を板状部１１ａに穿設された係合溝３２に係止されることによって、通路構成体２０が前面枠体４の主枠部１１にビス止めすることなくワンタッチで強固に取り付けられるようになっている。
【００１７】
なお、このように、打球発射機構１８、或いは通路構成体２０をユニット化して鉄板等の金属板によって形成される前面枠体４に取り外し自在に装着するようにすることにより、前面枠体４と打球発射機構１８、或いは通路構成体２０の分離仕分け作業が容易となり、パチンコ遊技機を廃棄処分したり、リサイクルするのに好都合となる。
【００１８】
一方、図３に示すように前記前面枠体４の前面であり、かつその軸支側の上端には、ガラス板保持枠５の一側上端を軸支するための下向きのヒンジ軸３３を突設した支持体３４が固着されている。また、中程よりやや下方位置にガラス板保持枠５の一側下端と前面板７及び前面下部板９とを軸支するためのヒンジ金具３５が固着されている。このヒンジ金具３５は、上下両端に水平な支持片３６，３６を有するコ字形に形成されており、両支持片３６，３６にヒンジ軸杆３７が貫通されている。このヒンジ軸杆３７の下端は前面枠体４の前方に突出する後述の下部可動金具６０の支持板部６０ｂに固着されており、その上端が上部の支持片３６から上方に突出されている。そして、その上部の支持片３６から上方に突出するヒンジ軸杆３７にガラス板保持枠５の一側下端が軸支され、両支持片３６，３６間に位置するヒンジ軸杆３７に前面板７が軸支され、さらに下部の支持片３６と前面枠体４の下部可動金具６０の支持板部６０ｂ間に位置するヒンジ軸杆３７に前面下部板９が軸支されるようになっている。
【００１９】
前記前面板７の前面に設けられる打球供給皿６は、その左側部分が図１に示すように前面が開放されたドーム状の空間部３８が形成されるような膨出部４０とされており、その空間部３８に灰皿３９が前方に回転自在に軸支されている。このように、ドーム状の空間部３８に灰皿３９を設けることによって、灰皿３９を目立たなくすることができると共に、全体的なデザイン効果を高めることができるようになっている。また、前記ドーム状の空間部３８が設けられた膨出部４０の上部には半透明のレンズカバー４１が設けられ、カード式パチンコ機用の残高表示装置４２がレンズカバー４１の内側に取り付けられている。さらに残高表示装置４２の近くにカード式パチンコ機における貸し球ボタン４３、カード返却ボタン４４等の操作部が設けられている。
【００２０】
一方、前面下部板９の前面に設けられる余剰球受皿８は、図１に示すようにその右測位置にハンドル装置４５が設けられており、該余剰球受皿８の前面を装飾する装飾カバー体４６と、ハンドル装置４５のカバー部４７とが滑らかな湾曲面状で連続性を有する一体形状となるように形成されている。また、余剰球受皿８の前面ほぼ中央部には、多数の透音孔４８を設けたパンチングメタル４９を介してスピーカー５０が取り付けられている。そして、スピーカー５０の音がパンチングメタル４９を通して余剰球受皿８の前面ほぼ中央部から直接に出されるようになっている。
【００２１】
しかして、前記外枠２と前面枠体４のヒンジ機構３は、図４及び図５に示すように上部ヒンジ機構３ａと下部ヒンジ機構３ｂとから構成されている。上部ヒンジ機構３ａは、図４に示すように外枠２の外側の上部隅部にビス５１で取り付けられる上部固定金具５２と前面枠体４の一側上部にカシメ着される上部可動金具５３とからなる。上部固定金具５２は、外枠２の上面に添わせる水平板部５２ａと外枠２の外側面に添わせる垂直板部５２ｂとにより逆Ｌ字形に形成されており、水平板部５２ａには外枠２の上面端部から前方に突出し、かつ外側に向かって開口する切欠き溝５４と該切欠き溝５４と連通状に軸受孔５５を穿設した突出片５６が一体に設けられている。また、前記切欠き溝５４の両側に位置する突出片５６の上面は、手前下から後方上へ向かう上向き傾斜面５６ａとして形成されている。
【００２２】
前記、上部可動金具５３は、前面枠体４の裏面に添わせる取付片５３ａと前面枠体４の前方に突出する水平板部５３ｂとを有し、その水平板部５３ｂの先端下面に上ヒンジ軸５７が下向きに突設されている。前記上ヒンジ軸５７は、上部固定金具５２の軸受孔５５に嵌合する円形軸部５７ａと前面枠体４をほぼ直角状に開放した状態で切欠き溝５４に挿入できる幅に形成した扁平軸部５７ｂを有し、その円形軸部５７ａと扁平軸部５７ｂとの境界面が後方上から手前下へ向かう下向き傾斜面５７ｃとして形成されている。
【００２３】
一方、前記下部ヒンジ機構３ｂは、図５に示すように外枠２の内側の下部隅部にビス５８で取り付けられる下部固定金具５９と、前面枠体４の一側下部にカシメ着される下部可動金具６０とからなる。下部固定金具５９は、外枠２の下部内側に添わせる垂直な取付片部５９ａと外枠２の前方に突出する水平な支持板部５９ｂとを有し、その支持板部５９ｂの先端上面に下ヒンジ軸６１が上向きに突設されている。一方、下部可動金具６０は、前面枠体４の裏面側に添わせる垂直な取付片部６０ａと前面枠体４の前方に突出する水平な支持板部６０ｂとを有し、その支持板部６０ｂに前記下ヒンジ軸６１に嵌合する軸孔６２が穿設されている。なお、前記下部固定金具５９の支持板部５９ｂと下部可動金具６０の支持板部６０ｂとの接触面を少なくして前面枠体４の開閉を円滑に行い得るようにするため、例えば図１０(イ)に示すように下部固定金具５９の支持板部５９ｂ上面であり、その下ヒンジ軸６１を中心とした周囲に凸状部６４を形成するか、或いは図１０(ロ)に示すように下部可動金具６０の支持板部６０ｂ下面であり、その軸孔６２を中心とした周囲に凸状部６５を形成すると良い。
【００２４】
本発明の前面枠体４の軸支構造は上記のように構成されるもので、外枠２に前面枠体４を軸支するには、先ず下部可動金具６０の軸孔６２を下部固定金具５９の下ヒンジ軸６１に上方から嵌合させて連結し、次に図６鎖線で示すように前面枠体４をほぼ直角状に開放した状態に位置させて該前面枠体４の上部可動金具５３を外枠２の上部固定金具５２に接近させ、上部可動金具５３の上ヒンジ軸５７に形成された扁平軸部５７ｂを上部固定金具５２の切欠き溝５４に臨ませて前面枠体４を外枠２に押し付ける。これによって、図７鎖線で示すように上ヒンジ軸５７の扁平軸部５７ｂが切欠き溝５４に侵入し、上部固定金具５２の上向き傾斜面５６ａと上部可動金具５３の上ヒンジ軸５７に形成された下向き傾斜面５７ｃとによって前面枠体４が徐々に上方へ押し上げられ、さらに前面枠体４を押し込むと上ヒンジ軸５７の円形軸部５７ａと上部固定金具５２の軸受孔５５とが一致する。このため、図７実線で示すように前面枠体４が自重で下がって上ヒンジ軸５７の円形軸部５７ａが上部固定金具５２の軸受孔５５に嵌合されることになり、前面枠体４はヒンジ機構３を支点にして外枠２に開閉自在に軸支される。
【００２５】
また、このようにして軸支された前面枠体４を外枠２から取り外すには、前面枠体４をほぼ直角状に開放した状態に位置させて該前面枠体４を上方へ持ち上げ、上部可動金具５３の上ヒンジ軸５７の円形軸部５７ａを上部固定金具５２の軸受孔５５から上方へ外す。そして、上部可動金具５３の上ヒンジ軸５７の扁平軸部５７ｂを上部固定金具５２の切欠き溝５４から外した後、下部固定金具５９の下ヒンジ軸６１と下部可動金具６０の軸孔６２との嵌合を外すことによって簡単に達せられる。
【００２６】
なお、前記上部可動金具５３の上ヒンジ軸５７であり、その扁平軸部５７ｂには、前面枠体４の上動範囲を規制する突起状の規制突部６３が一体に設けられている。この規制突部６３は、下部固定金具５９の下ヒンジ軸６１と下部可動金具６０の軸孔６２とが嵌合した状態であり、かつ上部可動金具５３の上ヒンジ軸５７の円形軸部５７ａが上部固定金具５２の軸受孔５５から外されたとき上部固定金具５２９の突出片５６の下面に衝合する位置に設けられている。このように、上ヒンジ軸５７の扁平軸部５７ｂに規制突部６３を設けることにより、前面枠体４を外枠２から取り外す際に、前面枠体４を上方へ持ち上げ過ぎるようなことがあっても規制突部６３が上部固定金具５２９の突出片５６の下面に突き当たって前面枠体４を下部固定金具５９の下ヒンジ軸６１と下部可動金具６０の軸孔６２との嵌合が外れる位置まで持ち上げることができなくなる。このため、前面枠体４が下部固定金具５９の支持板部６０ｂによる支持を失って下方に落下するようなことがなくなり、前面枠体４を外枠から容易かつ安全に取り外すことができる。
【００２７】
図９は他の実施の形態を示すもので、前記外枠２の上部固定金具５２であり、その切欠き溝５４の両側に位置する上面のみを手前下から後方上へ向かう上向き傾斜面５６１ａとして形成したものである。このように構成しても上ヒンジ軸５７の扁平軸部５７ｂを切欠き溝５４に臨ませて前面枠体４を外枠２に押し付けるだけの簡単な操作で外枠２に対して前面枠体４を軸支することができる
【００２８】
【発明の効果】
以上説明したところから明らかなように、本発明にあっては、外枠の上部固定金具に外側に向かって開口する切欠き溝と該切欠き溝と連通状の軸受孔を設け、一方、前面枠体の上部可動金具に前記切欠き溝に臨む扁平軸部と、軸受孔に嵌合する円形軸部とを有する上ヒンジ軸を下向きに突設し、上ヒンジ軸の扁平軸部を切欠き溝に臨ませて前面枠体を外枠に押し付けるだけの簡単な操作で外枠に対して前面枠体を軸支することができるようにしたものであるから、外枠に対して前面枠体を容易に軸支することができ、しかも構造が簡単で製作コストを安くすることができる。
【００２９】
また、外枠の上部固定金具であり、その切欠き溝の両側に位置する上面に設けた上向き傾斜面、或いは前面枠体の上部可動金具であり、その上ヒンジ軸の円形軸部と扁平軸部との境界面に設けた下向き傾斜面とによって、外枠に前面枠体を軸支する際に前面枠体を上方へ持ち上げなくても容易に軸支することができ、しかも従来の軸支構造のように上ヒンジ軸と軸受孔との嵌合状態を維持するためのロック部材等を不要とすることができる。
【００３０】
さらに、上ヒンジ軸の扁平軸部に前面枠体の上動範囲を規制する規制突部を設け、前面枠体を外枠から取り外す際に前面枠体を上方へ持ち上げ過ぎることがないようにしたものであるから、下部固定金具の下ヒンジ軸と下部可動金具の軸孔とが外れて前面枠体を下方に落下させるというような事故をなくすことができ、前面枠体を外枠から容易かつ安全に取り外すことができる。
【図面の簡単な説明】
【図１】パチンコ遊技機の正面図である。
【図２】ガラス板保持枠と打球供給皿を有する前面板及び余剰球受皿を有する前面下部板を開いた状態の斜視図である。
【図３】外枠と前面枠体を分離した状態の斜視図である。
【図４】外枠と前面枠体の上部ヒンジ機構部分の斜視図である。
【図５】外枠と前面枠体の下部ヒンジ機構部分の斜視図である。
【図６】外枠と前面枠体の上部ヒンジ機構部分の平面図である。
【図７】外枠と前面枠体の上部ヒンジ機構部分の側面断面図である。
【図８】上ヒンジ軸の規制突部の作用を説明する外枠と前面枠体の上部ヒンジ機構部分の側面断面図である。
【図９】図７の他の実施の形態を示す側面断面図である。
【図１０】  (イ)は下部固定金具の要部断面図、(ロ)は下部可動金具の要部断面図である。
【符号の説明】
２                外枠
３                ヒンジ機構
４                前面枠体
６                打球供給皿
８                余剰球受皿
５２              上部固定金具
５３              上部可動金具
５４              切欠き溝
５５              軸受孔
５６ａ            上向き傾斜面
５７              上ヒンジ軸
５７ａ            円形軸部
５７ｂ，５７１ｂ  扁平軸部
５７ｃ，５７１ｃ  上向き傾斜面
５９              下部固定金具
６０              下部可動金具
６３              規制突部
【図１】
0003931011.tif 000002
【図２】
0003931011.tif 000003
【図３】
0003931011.tif 000004
【図４】
0003931011.tif 000005
【図５】
0003931011.tif 000006
【図６】
0003931011.tif 000007
【図７】
0003931011.tif 000008
【図８】
0003931011.tif 000009
【図９】
0003931011.tif 000010
【図１０】
0003931011.tif 000011